(57)【要約】【課題】  長時間にわたって体にほど良い刺激を与え続けて疲労感を緩和することができる敷物を提供する。【解決手段】  長方形のニット素材の布地１を二重に重ね合わせ、中央部分を大きい幅にその両側部分に三列の略均等幅に間隔を開けて長手方向に略平行に縫い付け、各縫付けの際に、一方端部は辺部に至るまで縫い、他方端部は辺部に対して定間隔離して止め、さらに全周囲を縫い付けて７本の平行な長筒体とその長筒体の端部に繋がる連通路を形成する。  前記長筒体及び連通路の内部に、柔軟性と弾発性を有する直径約４ｍｍ、長さ約７ｍｍほどの合成樹脂製の筒状チップ６を布地１が弛まない程度に充填し、中央部分には中央膨体部７を、その両側部分には両側膨体部８ａ、８ｂ、８ｃ、８ｄ、８ｅ、８ｆを形成し、連通路にはそれらの膨体部に繋がる連通膨体部９を形成する。【選択図】      図２
0003107104.tif 000002
【実用新案登録請求の範囲】
【請求項１】
伸縮性の高い長方形のニット素材の布地を二重に重ね合わせ、中央部分を大きい幅にその両側部分に三列の略均等幅に間隔を開けて長手方向に略平行に縫い付け、各縫付けの際に、一方端部は辺部に至るまで縫い、他方端部は辺部に対して一定間隔を置いて止め、さらに全周囲を縫い付けて７本の平行な長筒体とその長筒体の端部に繋がる連通路を形成し、  該長筒体及び連通路の内部に、指で容易に変形させる程度の柔軟性と、変形したら直ちに元の形状に復元可能な弾発性を有する直径約４ｍｍ、長さ約７ｍｍほどの合成樹脂製の筒状チップを布地が弛まない程度に充填して繋がった膨体を形成し、該膨体の一部に加わって充填された筒状チップが受ける押圧の一部を膨体全体に分散できるようにしたことを特徴とする健康敷物。
【請求項２】
筒状チップが厚さ約０．３ｍｍのポリエチレン樹脂である請求項１記載の健康敷物。
【請求項３】
膨体全体の長方形のサイズが縦約６０ｃｍ、横約４５ｃｍであり、膨体の中央部分に形成される中央膨体部の直径が約９ｃｍその両側部分に形成される両側膨体部の直径が約７ｃｍである請求項１又は２記載の健康敷物。
【考案の詳細な説明】
【技術分野】
【０００１】
本考案は、布団又はベッド上に敷き、その上に人が横に寝た状態で腰部などにあてがって使用し、体にほど良い刺激を与えて疲れなどの症状を緩和するための敷物に関する。
【背景技術】
【０００２】
疲れたときに布団やベッドの上に横に寝ているだけでもある程度の疲れ感など症状を緩和し疲労回復する効果が知られている。
しかし、症状が重くなると、布団やベッド上に単に横になるだけでは容易に回復することができない。
そこで、特許文献１にあるような臀部に敷いて用いる「腰まくら」が提案されている。
この腰まくらは、上部に形成された凹凸によって指圧効果が期待できるものであるが、凹凸間の間隔が大きく、さらに充填物が硬いために長時間そのままで快眠することはできない。
【０００３】
また、平行状態に並べた筒状袋体の中に樹脂製の中空パイプ状チップが充填されている枕（特許文献１）が提案されている。この枕は筒状袋体を異径に形成した場合には、折り畳んだときに高さを有る程度自由に変えられる利点がある。
しかしながら、枕の中に硬い中空パイプ状チップを充填しているため、仮に広げて敷物として用いた場合、硬い筒状袋体のため強い押圧感が得られそれなりの指圧効果が得られるかもしれないが、長時間使用しそのままで違和感なく快眠できるようなものではなかった。
【特許文献１】特開平８−１３１５１１号公報
【特許文献２】登録実用新案第３０２４５０１号公報
【考案の開示】
【考案が解決しようとする課題】
【０００４】
本考案は、上記実情に鑑みてなされたもので、敷いてその上に横になると、長時間にわたって体にほど良い刺激を与え続けて快眠することができ、その間に一日の疲労感を緩和して朝の目覚をさわやかにすることができる敷物を提供するものである。
【課題を解決するための手段】
【０００５】
上記課題を解決するために、本考案の健康敷物は、伸縮性の高い長方形のニット素材の布地を二重に重ね合わせ、中央部分を大きい幅にその両側部分に三列の略均等幅に間隔を開けて長手方向に略平行に縫い付け、各縫付けの際に、一方端部は辺部に至るまで縫い、他方端部は辺部に対して定間隔離して止め、さらに全周囲を縫い付けて７本の平行な長筒体とその長筒体の端部に繋がる連通路を形成する。
その長筒体及び連通路の内部に、指で容易に変形させる程度の柔軟性と、変形したら直ちに元の形状に復元可能な弾発性を有する直径約４ｍｍ、長さ約７ｍｍほどの合成樹脂製の筒状チップを布地が弛まない程度に充填して繋がった膨体を形成する。
そして、その膨体の一部に加わって充填された筒状チップが受ける押圧の一部を膨体全体に分散できるようにしたことを特徴とするものである。
【０００６】
請求項２に記載の考案は、上記構成において、前記筒状チップに厚さ約０．３ｍｍのポリエチレン樹脂樹脂を用いたものである。
【０００７】
請求項３に記載の考案は、上記構成において、前記膨体全体の長方形のサイズを縦約６０ｃｍ、横約４５ｃｍとし、前記膨体の中央部分に形成される中央膨体部の直径を約９ｃｍ、その両側部分に形成される両側膨体部の直径を約７ｃｍにしたものである。
【考案の効果】
【０００８】
本考案は以上の構成であり、本考案は長筒体及び連通路の内部空間が連通した構造となっているので、膨体の一部に加わって充填された筒状チップが受ける押圧の一部を膨体全体に分散させることができる。
使用する際に、図４に示すように、平行な膨体の方向を身長方向に向ければ、大きい中央膨体部７が脊椎１０に当たって効果的に刺激することができる。
このため、筒状チップの柔らかさと相俟って腰、背中のなどの体の患部にフィットし、自らに体重でほど良い刺激を与えて適度な指圧マッサージ効果が得られ、血行が良くなって筋肉のコリをほぐし、身体各部の疲労感や虚脱感を解消させる。
そして、伸縮性の高いニット素材の布地の心地よい感触を伴って、長時間にわたって体にほど良い刺激を与え続けて、その刺激が強すぎる刺激の発生がないので安らかに快眠することができる。そして、その間に一日の疲労感を徐々に緩和して朝の目覚をさわやかにさせる。
【考案を実施するための最良の形態】
【０００９】
本考案の実施の形態を以下図で説明する。
本考案は、スポーツ着のジャージなどに使用されている肌さわりが良く伸縮性の高いニット素材のムース（エステル１００％）布地を用いる。この生地は耐久性も優れているので好ましい。
そして、図１に示すように、全体のサイズが縦約６５ｃｍ、横約５０ｃｍになるように、その布地を長方形に切って二枚を二重に重ね合わせるか又は大きい布地を半分に折りたたんで二重に重ね合わせることによって、全体のサイズが縦約６５ｃｍ、横約５０ｃｍになるようにする。
【００１０】
そして、その二重に重ね合わせた布地１を、中央部分３を大きい幅にその両側部分に三列の略均等幅に間隔を開けて長手方向に略平行な縫い目２により縫い付ける。
その各縫付けの際に、一方端部は一方の辺部１ａに至るまで縫い、他方端部は他方の辺部１ｂに対して定間隔離して止めた長筒体を形成する。
さらに全周囲を縫い付けて７本の平行な長筒体３、４ａ、４ｂ、４ｃ、４ｄ、４ｅ、４ｆとその長筒体の端部に繋がる連通路５を形成する。
【００１１】
そして、前記長筒体３、４ａ、４ｂ、４ｃ、４ｄ、４ｅ、４ｆ及び連通路５の内部に、指で容易に変形させる程度の柔軟性と、変形したら直ちに元の形状に復元可能な弾発性を有する直径約４ｍｍ、長さ約７ｍｍほどの合成樹脂製の粒状の筒状チップ６を、図２に示すように、布地１が弛まない程度に充填する（１Ｋｇ程度充填すると良い。）。
なお、大きい中央膨体部７には筒状チップ６を全体の３０％入れると良い。
前記筒状チップ６には厚さ約０．３ｍｍのポリエチレン樹脂を用いると適度の柔軟性と弾発性が得られる。
【００１２】
筒状チップ６を充填後、図３に示すように、前記膨体の中央部分に形成される中央膨体部７の直径が約９ｃｍその両側部分に形成される両側膨体部８ａ、８ｂ、８ｃ、８ｄ、８ｅ、８ｆの直径が約７ｃｍとなる繋がった膨体が形成され、また、前記連通路５にも前記中央膨体部７及び両側膨体部８ａ、８ｂ、８ｃ、８ｄ、８ｅ、８ｆと同じ程度の径の連通膨体部９を形成される。
筒状チップ６に入れ方は、前記連通路５を縫わずに開けておき、その前記連通路５を上にして前記長筒体３、４ａ、４ｂ、４ｃ、４ｄ、４ｅ、４ｆの連通路５にひらいていつ口から筒状チップ６を落とし込み、最後に前記連通路５の周囲を縫い合わせれば良い。
【００１３】
（使用方法）
本考案の使用法を次に説明する。
本考案は、図４及び図５に示すように、布団又はベッド上に敷いて背や腰部などにあてがって使用する。
膨体にはほど良い固さがあるので布団やベッド１２の表面から少し沈む、
そして、布団やベッド１２の弾発性と、筒状チップ６の適度の柔軟性と弾発性と、連通した長筒体及び連通路内の筒状チップの押圧分散構造からの相乗効果により適度な指圧マッサージ効果が得られる。
また素材が伸縮性の高いニット素材の布地なので、より心地よい感触を伴って、長時間にわたって体にほど良い刺激を与え続ける。
その結果、血行が良くなって筋肉のコリをほぐし、身体各部の疲労感や虚脱感を解消させる。
また、図４に示すように、平行な膨体の方向を身長方向に向けて使用すれば、大きい中央膨体部７が脊椎１０を効果的に刺激でき、また、図５に示すように、横方向に向けて使用すれば、背筋の患部を中央膨体部７で効果的に刺激することができる。
なお、汗などの汚れを防ぐため、綿製品のカバーを掛けたり、袋に入れたりしても良い。
【産業上の利用可能性】
【００１４】
本考案は、布団やベッドの上に敷いて腰部などにあてがって広げて使用するものであるが、利用の方法は自由である。例えば二つ折りしたり丸めたりして使用することも可能である。
【図面の簡単な説明】
【００１５】
【図１】（イ）が二重に重ね合わせ縫い付けた布地を示す平面図、（ロ）が筒状チップを示す拡大した斜視図である。
【図２】本考案の縦断面を示す斜視図である。
【図３】本考案の斜視図である。
【図４】使用状態を示す縦断側面図である。
【図５】別の使用状態を示す縦断側面図である。
【符号の説明】
【００１６】
１    布地
１ａ  一方の辺部
１ｂ  他方の辺部
２    縫い目
３    中央長筒体
４ａ  長筒体
４ｂ  長筒体
４ｃ  長筒体
４ｄ  長筒体
４ｅ  長筒体
４ｆ  長筒体
５    連通路
６    筒状チップ
７    中央膨体部
８    両側膨体部
８ａ  両側膨体部
８ｂ  両側膨体部
８ｃ  両側膨体部
８ｄ  両側膨体部
８ｅ  両側膨体部
８ｆ  両側膨体部
９    連通膨体部
１０    脊椎
１１    身体
１２    ベッド
【図１】
0003107104.tif 000003
【図２】
0003107104.tif 000004
【図３】
0003107104.tif 000005
【図４】
0003107104.tif 000006
【図５】
0003107104.tif 000007